(57)【特許請求の範囲】
【請求項１】
医療画像を撮影する複数の撮影装置それぞれから少なくとも映像信号と映像信号以外の所定の信号とを含む出力信号が入力され、前記複数の撮影装置それぞれから出力された出力信号のうち、１つの撮影装置から出力された出力信号を主画像用信号とし、他の１つの撮影装置から出力された出力信号を副画像用信号として選択するとともに、前記主画像用信号及び前記副画像用信号に含まれる映像信号を切替出力する切替分配手段と、
前記切替分配手段から出力された映像信号が入力され、前記主画像用信号に含まれる映像信号の医療画像を主画像とし、前記副画像用信号に含まれる映像信号の医療画像を副画像として構成された合成画像を同一画面上に表示するための合成画像信号を生成する合成画像信号生成手段とを備え、
前記切替分配手段は、前記主画像用信号に含まれる前記所定の信号をさらに周辺機器に出力することにより、その所定の信号が出力された周辺機器と、前記主画像用信号を出力した撮影装置を接続することを特徴とする医療画像切替装置。
【請求項２】
前記周辺機器は、プリンタ、パーソナルコンピュータ、及びキーボードのいずれかを含むことを特徴とする請求項１に記載の医療画像切替装置。
【請求項３】
前記合成画像が、静止画像と動画像とを含むことを特徴とする請求項１に記載の医療画像切替装置。
【請求項４】
前記切替分配手段による切替出力の状況を表示する表示手段を備えることを特徴とする請求項１に記載の医療画像切替装置。
【請求項５】
前記複数の撮影装置が電子内視鏡装置を含むことを特徴とする請求項１に記載の医療画像切替装置。
【請求項６】
前記複数の撮影装置がＸ線撮影装置を含むことを特徴とする請求項１に記載の医療画像切替装置。
【請求項７】
それぞれ医療画像を撮影し、それぞれが少なくとも映像信号と映像信号以外の所定の信号とを含む出力信号を出力する複数の撮影装置と、
前記撮影装置から得られた医療画像を同一画面上に所定数だけ表示するモニタ装置と、
前記複数の撮影装置と前記モニタ装置との間に設けられ前記モニタ装置の画面に表示すべき医療画像を切替える医療画像切替装置と、
周辺機器とを備え、
前記医療画像切替装置は、前記複数の撮影装置それぞれから出力された出力信号のうち、１つの撮影装置から出力された出力信号を主画像用信号とし、他の１つの撮影装置から出力された出力信号を副画像用信号として選択するとともに、前記主画像用信号及び前記副画像用信号に含まれる映像信号を切替出力する切替分配手段と、
前記切替分配手段から出力された映像信号が入力され、前記主画像用信号に含まれる映像信号の医療画像を主画像とし、前記副画像用信号に含まれる映像信号の医療画像を副画像として構成された合成画像を前記モニタ装置に表示するための合成画像信号を生成する合成画像信号生成手段とを備え、
前記切替分配手段は、前記主画像用信号に含まれる前記所定の信号をさらに前記周辺機器に出力することにより、その所定の信号が出力された周辺機器と、前記主画像用信号を出力した撮影装置を接続することを特徴とする医療画像表示システム。
【発明の詳細な説明】
【０００１】
【発明の属する技術分野】
本発明は、医療画像切替装置を用いて複数の医療用撮影装置の画像を切り替えて表示する医療画像表示システムに関する。
【０００２】
【従来の技術】
近年、画像処理技術の発達により医療現場において種々の医療用撮影装置によって多様な画像が撮影され、診察に用いられる。具体的には、Ｘ線撮影装置や、超音波撮影装置、電子内視鏡装置等が挙げられる。特に、電子内視鏡装置の分野では、検査部位に応じて撮像方式が違なるものが使用されるだけでなく、検査部位のカラー画像を撮影する機能に他の様々な機能、例えば超音波画像を撮影する、患部に医療処置を施す等の機能を搭載したものが実用化されている。
【０００３】
【発明が解決しようとする課題】
このような各種医療用撮影装置により得られた画像（以下、医療画像と呼ぶ）は、多角的な見地から迅速かつ正確な診断を行うために併用される機会が多くなってきている。特に電子内視鏡装置においては、用途の異なる電子内視鏡装置を併用することが要求される場面が増加している。
【０００４】
しかし、各撮影装置間の画像処理についての互換性は乏しく、現状では各医療用撮影装置に対応した画像処理装置やモニタ装置を必要とする。従って、それぞれの医療用撮影装置から得られた画像を同一モニタで同時に観察することは実質的に不可能であり、各医療用撮影装置の設けられた部屋に移動したり、あるいは医療用撮影装置自体を動かす必要があり、医者または患者にとって負担の大きい作業である。
【０００５】
このように、従来では複数の医療用撮影装置の画像を効率的に観察、活用することが困難であった。
【０００６】
本発明はこのような従来の問題点を解消すべく創案されたもので、複数の医療画像を効率的に活用することを目的とする。
【０００７】
【課題を解決するための手段】
本発明に係る医療画像切替装置は、医療画像を撮影する複数の撮影装置から少なくとも映像信号が入力され、所定数の複数の医療画像に対応した映像信号を切替出力する切替分配手段と、前記切替分配手段から出力された所定数の映像信号が入力され、これら映像信号に対応する医療画像の合成画像を同一画面上に表示するための合成画像信号を生成する合成画像信号生成手段とを備えることを特徴としている。これによって１つの画面で複数の医療画像を選択しつつ観察でき、複数の医療画像を効率的に活用できる。
【０００８】
同一画面上に表示される合成画像としては、主画像およびこの主画像より相対的に小さく表示される副画像であってもよいし、また静止画像および動画像であってもよい。従って、用途に応じた最適な画像表示が可能である。
【０００９】
医療画像切替装置は、切替分配手段による切替出力の状況を表示する表示手段を備えていることが好ましく、これにより操作者がモニタ装置に表示される医療画像と撮影装置との対応関係を容易に把握できる。
【００１０】
撮影装置としては、電子内視鏡装置やＸ線撮影装置が適用されてもよく、用途や目的に応じた撮影装置を種々選択でき、多様な医療画像を観察し得る。
【００１１】
また、本発明による医療画像表示システムは、医療画像を撮影する複数の撮影装置と、前記撮影装置から得られた医療画像を同一画面上に所定数だけ表示するモニタ装置と、前記複数の撮影装置と前記モニタ装置との間に設けられ前記モニタ装置の画面に表示すべき医療画像を切替える医療画像切替装置とを備えることを特徴としている。これによって１つのモニタ装置で複数の医療画像を選択しつつ観察でき、複数の医療画像を効率的に活用できる。
【００１２】
【発明の実施の形態】
次に本発明に係る医療画像用切替装置を備えた画像表示システムの実施形態を図面に基づいて説明する。
【００１３】
図１は、画像表示システムの各構成を概略的に示す図である。画像表示システムは、３つの撮影装置１２、１４、１６と、単一のモニタ装置２４と、３つの撮影装置１２、１４、１６から得られた画像を合成してモニタ装置２４に出力する切替装置１００とを備える。切替装置１００には、モニタ装置２４の他にプリンタ２２、パーソナルコンピュータ２６およびキーボード２８が接続される。
【００１４】
第１撮影装置１２としては面順次方式の電子内視鏡装置が適用され、第２撮影装置１４としてカラー単板同時撮影方式の電子内視鏡装置が、第３撮影装置１６としてＸ線撮影装置がそれぞれ適用される。なお、第１および第２撮影装置１２および１４は、それぞれ体内に挿入されるスコープとスコープに接続され映像信号を生成するプロセッサとを備えているが、ここでは図の複雑化を避けるためスコープを省略し、プロセッサのみを示す。
【００１５】
第１、第２および第３撮影装置１２、１４および１６はそれぞれ切替装置１００に接続され、各撮影装置１２、１４および１６からの出力信号ＯＰ１、ＯＰ２およびＯＰ３は切替装置１００に入力される。
【００１６】
第１出力信号ＯＰ１には、スコープから得られた被写体像の第１映像信号Ｖ１、各種制御信号を含む第１シリアル信号Ｓ１、および第１電子内視鏡装置１２の電源のオン／オフに対応した第１キーボード信号Ｋ１が含まれる。同様に、第２出力信号ＯＰ２には第２映像信号Ｖ２、第２シリアル信号Ｓ２および第２キーボード信号Ｋ２が含まれ、第３出力信号ＯＰ３には第３映像信号Ｖ３、第３シリアル信号Ｓ３および第３キーボード信号Ｋ３が含まれる。
【００１７】
さらに、第１、第２および第３映像信号Ｖ１、Ｖ２およびＶ３は、それぞれ被写体像をＲＧＢの３原色に分離したＲＧＢビデオ信号、輝度信号と色差信号とに分離したＹ／Ｃビデオ信号、輝度信号と色差信号と同期信号とがＮＴＳＣ方式等の所定のフォーマットに従って変調されたコンポジットビデオ信号とを含む。これら３種のの映像信号は内視鏡装置に用いる映像信号として一般的なものであるが、他の映像信号を使用することも当然可能である。
【００１８】
図１においては、各撮影装置１２、１４および１６と切替装置１００とは単一の接続線で結ばれているが、実際には入出力する信号の種類に対応した数の接続線が存在する。本実施形態ではＲＧＢビデオ信号、Ｙ／Ｃビデオ信号、コンポジットビデオ信号、シリアル信号およびキーボード信号に対応する５系統の入出力端子が各撮影装置１２、１４、１６に設けられ、切替装置１００には３つの撮影装置１２、１４、１６のそれぞれの入出力端子に接続される１５系統の入出力端子が設けられる。
【００１９】
プリンタ２２は任意の静止画を印刷し、モニタ装置２４には各撮影装置によって撮像された医療画像が静止画像または動画像として表示される。パーソナルコンピュータ２６は、内部あるいは外部の記録媒体に静止画像または動画像を電子情報としてファイリングしたり、医療画像の加工等を行うために用いられる。キーボード２８は、第１、第２または第３撮影装置１２、１４または１６の操作に使用され、また医療画像の記録に際して患者に関する情報、例えばＩＤ番号、患者名、性別、生年月日、検査日時、検査部位等を入力する際に使用される。
【００２０】
このように、複数の撮影装置１２、１４、１６に、切替装置１００を介してプリンタ２２、モニタ装置２４、パーソナルコンピュータ２６およびキーボード２８等の周辺機器を接続することによって、これら周辺機器が共用できる。なお、撮影装置の数および種類、組合せは本実施形態に限定されず、また各撮影装置から出力される信号の種類は少なくとも映像信号が含まれていればよく、その他の信号はシリアル信号またはキーボード信号に限定されない。さらに、出力側に接続される装置としては本実施形態に限定されず、他にビデオデッキやカメラ等を用いてもよい。
【００２１】
切替装置１００は、切替分配手段である切替分配回路１１０と、合成画像信号生成手段である画像混合回路１４０と、これら回路１１０および１４０に給電する電源回路１７０とを備える。
【００２２】
切替分配回路１１０には第１、第２および第３出力信号ＯＰ１、ＯＰ２およびＯＰ３が入力され、切替分配回路１１０はこれら出力信号の中からモニタ装置２４に表示すべき医療画像に対応する出力信号を最大２つまで選択する。切替回路１１０は第１、第２および第３撮影装置１２、１４および１６のうち使用されている撮影装置のみを選択の対象とし、使用されているか否かは第１、第２および第３キーボード信号Ｋ１、Ｋ２およびＫ３に基づいて判断する。各キーボード信号は電源がオンの時にハイレベルになる。
【００２３】
例えば、第１、第２および第３撮影装置１２、１４および１６の順に電源が投入されると、時系列上第１、第２および第３キーボード信号Ｋ１、Ｋ２およびＫ３の順にハイレベルとなり、切替分配回路１１０は時系列上一番最後に電源が投入された第３撮影装置１６からの第３出力信号ＯＰ３を主画像用信号として自動的に選択し、時系列上最後から２番目に電源が投入されたの第２撮影装置１４からの第２出力信号ＯＰ２を副画像用信号として選択する。
【００２４】
そして、主画像用信号として選択された第３出力信号ＯＰ３に含まれる第３映像信号Ｖ３を主画像用映像信号ＣＶ１、副画像用信号として選択された第２出力信号ＯＰ２に含まれる第２映像信号Ｖ２を副画像用映像信号ＣＶ２として画像混合回路１４０へ出力する。また、主画像用信号として選択された第３出力信号ＯＰ３に含まれる第３シリアル信号Ｓ３は主画像用シリアル信号ＣＳとしてプリンタ２２およびパーソナルコンピュータ２６に出力され、第３キーボード信号Ｋ３が主画像用キーボード信号ＣＫとしてキーボード２８に出力される。ここでプリンタ２２、パーソナルコンピュータ２６およびキーボード２８は、第３撮影装置１６に接続される。
【００２５】
このように、切替分配回路１１０は第１、第２および第３出力信号ＯＰ１、ＯＰ２およびＯＰ３から時系列上最後の２つを自動的に主画像用信号および副画像用信号として選択する。
【００２６】
なお切替分配回路１１０には、主画像用信号および副画像用信号として選択すべき出力信号を切替える切替操作部１１２が接続される。この切替操作部１１２の操作により任意の出力信号を主画像用信号および副画像用信号に設定できる。具体的には、第２出力信号ＯＰ２を主画像用信号、第３出力信号ＯＰ３を副画像用信号に相互切替えたり、主画像用信号または副画像用信号を現在選択されていない第１出力信号ＯＰ１に切替えたり、あるいは同一の出力信号を主画像用信号および副画像用信号の双方に適用することができる。
【００２７】
またさらに、切替分配回路１１０には混合解除スイッチ１１４が接続され、混合解除スイッチ１１４の操作により現在主画像用信号として設定されている出力信号のみを画像混合回路１４０へ出力することができる。切替分配回路１１０による主画像用信号および副映像用信号の設定状態はインジケータ１２０により操作者に報知される。
【００２８】
画像混合回路１４０は、切替分配回路１１０から出力された主画像用映像信号ＣＶ１および副画像用映像信号ＣＶ２とに基づいて、同一画面上に双方の画像を表示するための合成画像信号を生成し、プリンタ２２、モニタ２４およびパーソナルコンピュータ２６へ出力する。
【００２９】
図２は、モニタ装置２４の表示画面を示す概念図である。表示画面には画像表示領域ＡＲが設定されており、さらに画像表示領域ＡＲ内には図中右上がりのハッチングで示される主画像表示領域ＭＡＲと、図中右下がりのハッチングで示される副画像表示領域ＳＡＲとが設定される。主画像表示領域ＭＡＲには静止画である主画像が表示され、副画像表示領域ＳＡＲには動画である副画像が表示される。このように同一画面で複数の医療画像を選択しつつ観察でき、操作性が極めて良好である。なお、動画は連続した静止画として捉えられ、動画の情報である第１〜第３出力信号Ｓ１〜Ｓ３から所定時刻の画像に相当する情報を抽出することにより、静止画が容易に生成される。
【００３０】
主画像表示領域ＭＡＲおよび副画像表示領域ＳＡＲの双方は略正方形を呈し、主画像表示領域ＭＡＲは画面左側に、副画像表示領域ＳＡＲは画面右上隅に配置される。なお、主および副画像表示領域ＭＡＲ、ＳＡＲの形状、寸法および配置は本実施形態に限定されない。
【００３１】
本実施形態においては、切替装置１００により２つの医療画像を選択してモニタ装置２４に表示させているが、もちろん３つ以上の医療画像を選択する構成にしてもよく、この場合には単一の静止画と複数の動画、複数の静止画と単一の動画、複数の静止画と複数の動画等、種々の組み合わせを設定し得る。
【００３２】
図３は、切替装置１００のフロントパネル１００ａを示す正面図である。フロントパネル１００ａには、撮影装置１２、１４および１６と主画像および副画像との対応関係を示すインジケータ１２０が設けられる。インジケータ１２０の図中右方には６個の切替スイッチが垂直方向に並んだ切替操作部１１２が設けられ、さらにその右方には混合解除スイッチ１１４が設けられる。
【００３３】
第１切替スイッチ１１２ａ、第２切替スイッチ１１２ｂおよび第３切替スイッチ１１２ｃは、主画像を撮影装置１２、１４、１６の何れからの画像に選択するかを決定するためのスイッチであり、３つのうち何れか１つを押下することにより押下された切替スイッチが点灯し、対応する撮影装置の画像が主画像に決定される。同様に、第４〜第６切替スイッチ１１２ｄ、１１２ｅおよび１１２ｆは副画像に用いる画像を決定するためのスイッチである。
【００３４】
インジケータ１２０には、各撮影装置１２、１４、１６および主画像、副画像を示すブロック１２０ａ、１２０ｂ、１２０ｃ、１２０ｄおよび１２０ｅと、ブロック１２０ａ、１２０ｂおよび１２０ｃと、ブロック１２０ｄおよび１２０ｅとを任意の組み合わせで接続する接続線１２２とが表示される。
【００３５】
各ブロックは、装置名等が記された透明文字板および透明文字板の背後に設けられ主画像および副画像に対応して色分けされたＬＥＤ（発光ダイオード）とにより構成される。例えば主画像に対応する撮影装置を青色ＬＥＤ、副画像に対応する撮影装置を緑色ＬＥＤの点灯により報知する。これにより操作者はどの撮影装置から得られた画像を主画像または副画像として用いているかを容易に認識し得る。なお、インジケータ１２０を透明文字板およびＬＥＤで構成する以外に、液晶パネルで構成してもよいし、主画像および副画像の区別を色分けではなく輝度差で示してもよい。
【００３６】
図４および図５はインジケータ１２０の表示例を示す図である。切替装置１００の電源を投入した後、先ず始めに第１撮影装置１２の電源を投入すると、切替装置１００は第１キーボード信号Ｋ１のハイレベルへの変位を検出し、自動的に主画像を第１撮影装置１２の画像に設定する。これにより、モニタ装置２４の主画像表示領域ＭＡＲには第１撮影装置１２の医療画像が表示される。
【００３７】
このとき、図４に示すようにインジケータ１２０の第１撮影装置１２に対応するブロック１２０ａ（以下、鉤括弧内の文字および符号で示す）および「主画像」１２０ｄの背後に設けられる青色ＬＥＤが点灯させられ、同時に第１切替スイッチ１１２ａの背後に設けられる青色ＬＥＤが点灯させられる。図４においては点灯部分は黒塗りされた領域で示され、また接続線１２２において「第１撮影装置」１２０ａおよび「主画像」１２０ｄを接続する部分が、強調表示される。
【００３８】
ここで第２、第３撮影装置１４および１６の電源はオフであるため、第２切替スイッチ１１２ｂ、第３切替スイッチ１１２ｃ、第５切替スイッチ１１２ｅおよび第６切替スイッチ１１２ｆを押下しても画像の切替は行われない。
【００３９】
図４に示す状態から、さらに第２撮影装置１４の電源を投入すると、切替装置１００は第２キーボード信号Ｋ２のハイレベルへの変位を検出し、自動的に主画像を第２撮影装置１４の画像に切替るとともに、副画像を第１撮影装置１２の画像に設定する。これにより、モニタ装置２４の主画像表示領域ＭＡＲには第２撮影装置１４の画像が表示され、副画像表示領域ＳＡＲには第１撮影装置１２の画像が表示される。
【００４０】
このとき、インジケータ１２０の表示状態は図５に示すように変化する。即ち「第１撮影装置」１２０ａの背後の青色ＬＥＤは消灯し、替わりに緑色ＬＥＤが点灯する（図中ハッチングで示す）。そして「第２撮影装置」１２０ｂの背後の青色ＬＥＤおよび「副画像」１２０ｅの背後の緑色ＬＥＤが新たに点灯させられる。
【００４１】
さらに、接続線１２２において「第１撮影装置」１２０ａと「副画像」１２０ｅとの間、「第２撮影装置」１２０ｂと「主画像」１２０ｄとの間がそれぞれ強調される。切替操作部１１２においては、第１切替スイッチ１１２ａが消灯し、第２切替スイッチ１１２ｂおよび第４切替スイッチ１１２ｄが点灯する。
【００４２】
このように、本実施形態の切替装置１００によると、撮影装置１２、１４、１６の電源投入順に主画像および副画像が自動的に選択され、かつ切替操作部１１２によりその選択を変更し得るので、高い操作性をもって各医療画像を活用でき、患部の観察、診断、処置等の作業能率が高まる。また自動選択の医療画像を使用する場合には画像の切替を意識することなく診断でき、医師は診断に集中できる。
【００４３】
すなわち、複雑化する内視鏡検査において、異なる方式の電子内視鏡装置（１２、１４）や電子内視鏡装置以外の医療用撮影装置（１６）を容易に切替えて使用したり、１つのモニタ装置２４に同時に表示することが可能となり、様々な医療画像の情報を参照し、診断することが可能となる。これはより的確な診断の手助けとなる。
【００４４】
またさらに、切替分配回路１１０の選択状況をインジケータ１２０および切替操作部１１２に表示するので、複数の医療画像の対応関係を容易かつ的確に把握し得る。
【００４５】
図６は、切替分配回路１１０の詳細を示すブロック図である。切替分配回路１１０は第１、第２および第３信号Ｓ１、Ｓ２およびＳ３を一端保持するバッファ回路部１１６と、合成すべき２つの映像信号を設定する画像混合設定回路１１８と、画像混合設定回路１１８の設定に基づいて２つの映像信号を選択する分配回路１３０とを備える。
【００４６】
バッファ回路部１１６は、各出力信号に含まれる５種の信号に対応したＲＧＢビデオバッファ回路１１６ａ、コンポジットビデオバッファ回路１１６ｂ、Ｙ／Ｃビデオバッファ回路１１６ｃ、シリアル信号バッファ回路１１６ｄおよびキーボード信号バッファ回路１１６ｅを備える。
【００４７】
ＲＧＢビデオバッファ回路１１６ａには、第１撮影装置１２から出力された第１ＲＧＢビデオ信号ＲＧＢ１と、第２撮影装置１４から出力されたＲＧＢビデオ信号ＲＧＢ２と、第３撮影装置１６から出力されたＲＧＢビデオ信号ＲＧＢ３とが入力され、これら３つのＲＧＢビデオ信号を一端保持した後、分配回路１３０のＲＧＢ信号分配回路１３０ａへ出力する。
【００４８】
ＲＧＢ信号分配回路１３０ａは、画像混合設定回路１１８から出力される分配指令信号ＣＴＬ１に基づいて、第１、第２および第３ＲＧＢビデオ信号ＲＧＢ１、ＲＧＢ２、およびＲＧＢ３から２つを選択し、主画像用ＲＧＢビデオ信号Ｃｒｇｂ１および副画像用ＲＧＢビデオ信号Ｃｒｇｂ２として出力する。
【００４９】
コンポジットビデオ信号についても同様、３つの撮影装置１２、１４、１６から出力されたコンポジットビデオ信号（ＮＴＳＣ１、ＮＴＳＣ２、ＮＴＳＣ３）がコンポジットビデオバッファ回路１１６ｂを経由してコンポジットビデオ信号分配回路１３０ｂに入力され、その中から分配指令信号ＣＴＬ１に基づいて２つが選択され、主画像用コンポジットビデオ信号Ｃｎｔｓｃ１および副画像用コンポジットビデオ信号Ｃｎｔｓｃ２として出力される。
【００５０】
さらに、Ｙ／Ｃビデオ信号についても同様、３つの撮影装置１２、１４、１６からのＹ／Ｃビデオ信号（ＹＣ１、ＹＣ２、ＹＣ３）が、Ｙ／Ｃビデオバッファ回路１１６ｃを介してＹ／Ｃビデオ信号分配回路１３０ｃに入力され、Ｙ／Ｃビデオ信号分配回路１３０ｃにおいて分配指令信号ＣＴＬ１に基づいて２つが選択され、主画像用Ｙ／Ｃビデオ信号Ｃｙｃ１および副画像用Ｙ／Ｃビデオ信号Ｃｙｃ２として出力される。
【００５１】
以上のように、分配回路１３０は、画像信号設定回路１１８からの分配指令信号ＣＴＬ１に基づいて、３装置から入力された映像信号Ｖ１、Ｖ２およびＶ３から２つを選択し、主画像用映像信号ＣＶ１（各ビデオ信号Ｃｒｇｂ１、Ｃｎｔｓｃ１およびＣｙｃ１を含む）および副画像用映像信号ＣＶ２（各ビデオ信号Ｃｒｇｂ２、Ｃｎｔｓｃ２およびＣｙｃ２を含む）として出力する。
【００５２】
第１〜第３シリアル信号Ｓ１、Ｓ２、Ｓ３はシリアル信号バッファ回路１１６ｄに入力され、ここで画像信号設定回路１１８からの切替指令信号ＣＴＬ２に基づいて、現在主画像に用いられている映像信号に対応したシリアル信号が、主画像用シリアル信号ＣＳとして出力される。同様に、キーボード信号バッファ回路１１６ｅにおいて、第１〜第３キーボード信号Ｋ１、Ｋ２、Ｋ３から切替指令信号ＣＴＬ２に基づいて現在主画像に用いられている映像信号に対応したキーボード信号が選択され、主画像用キーボード信号ＣＫとして出力される。
【００５３】
画像混合設定回路１１８には、第１〜第３キーボード信号Ｋ１、Ｋ２およびＫ３と、切替操作部１１２からの制御信号ＣＴＬ３と、混合解除スイッチ１１４からの制御信号ＣＴＬ４とが入力され、これら５つの入力に基づいて主画像および副画像が設定される。
【００５４】
そして主画像および副画像の設定情報に基づいて、分配回路１３０の出力選択を制御する分配指令信号ＣＴＬ１、シリアル信号バッファ回路１１６ｄおよびキーボード信号バッファ回路１１６ｅの出力選択を制御する切替指令信号ＣＴＬ２、画像混合回路１４０における画像混合を制御する制御信号ＣＴＬ５、およびインジケータ１２０の表示（ＬＥＤの点灯および消灯）を制御する制御信号ＣＴＬ６の出力がそれぞれ制御される。
【００５５】
図７は、画像混合回路１４０の詳細を示すブロック図である。画像混合回路１４０は原画像の１フレーム分の主画像用映像信号ＣＶ１を一時的に保持する主画像メモリ回路１４２と、原画像の１フレーム分の副画像用映像信号ＣＶ２を一時的に保持する副画像メモリ回路１４４とを備え、これら２つのメモリ回路１４２および１４４の出力は、合成画像メモリ回路１４６に入力される。
【００５６】
合成画像メモリ回路１４６において、同時刻の主画像用映像信号ＣＶ１および副画像用映像信号ＣＶ２に対して、主画像表示領域ＭＡＲおよび副画像表示領域ＳＡＲに対応するよう各々サイズ変換処理が施されると共に、そのサイズ変換された各画像信号に基づいて、モニタ装置２４に表示すべき１フレーム分の合成画像信号が生成される。合成画像信号は、出力バッファ回路１５２を介してモニタ装置２４等に出力される。
【００５７】
画像混合回路１４０は、モニタ画面上における主画像表示領域ＭＡＲおよび副画像表示領域ＳＡＲの配置情報を格納する領域データ格納メモリ１５０を備え、各領域の配置情報は画像混合制御回路１４８へ供給され、前述のサイズ変換処理に利用される。
【００５８】
画像混合制御回路１４８は、切替分配回路１１０の画像混合設定回路１１８からの制御信号ＣＴＬ５と、領域データ格納メモリ１５０からの配置情報とを受け、主画像メモリ回路１４２、副画像メモリ回路１４４および合成画像メモリ回路１４６へ制御信号ＣＴＬ７を出力し、映像信号の書込みおよび読出しのタイミングを制御する。
【００５９】
【発明の効果】
以上のとおり、本発明によれば、複数の医療用撮影装置の画像を効率的に活用することができる。
【図面の簡単な説明】
【図１】本発明に係る画像表示システムの各構成を概略的に示す図である。
【図２】図１に示すモニタ装置の表示画面を示す正面図である。
【図３】図１に示す切替装置のフロントパネルを示す正面図である。
【図４】図２に示すフロントパネルの表示状態の一例を示す図である。
【図５】図２に示すフロントパネルの表示状態の他の例を示す図である。
【図６】図１に示す切替分配回路の詳細を示すブロック図である。
【図７】図１に示す画像混合回路の詳細を示すブロック図である。
【符号の説明】
１２  第１撮影装置
１４  第２撮影装置
１６  第３撮影装置
２２  プリンタ
２４  モニタ装置
２６  パーソナルコンピュータ
１００  切替装置
１１０  切替分配回路
１１２  切替操作部
１１８  画像混合設定回路
１１４  混合解除スイッチ
【図１】
0004424811.tif 000002
【図２】
0004424811.tif 000003
【図３】
0004424811.tif 000004
【図４】
0004424811.tif 000005
【図５】
0004424811.tif 000006
【図６】
0004424811.tif 000007
【図７】
0004424811.tif 000008